(57)【要約】【課題】より簡単に網線数及び網角度の少なくとも一方を検査することができる印刷版、印刷物、印刷版の画像形成方法、印刷物の印刷方法【解決手段】平網状の基準画像２３と、出力画像Ｐと同じ網線数及び網角度が指定されたサンプル画像２１とで構成されるチントパッチ２０を印刷版１０の余白部分に形成し、網線数及び網角度のいずれか一方が間違って出力された場合に、このチントパッチ２０に発生するモアレの有無により網線数及び網角度を検査する。【選択図】図２
2006297752.tif 000002
【特許請求の範囲】
【請求項１】
出力画像と同じ網線数及び網角度が指定された平網データに基づいて、余白部分に出力されるサンプル画像と、
複数の点状画像により前記平網データに指定した前記網線数及び前記網角度に対応する網線数及び網角度を有する平網状に形成され、前記サンプル画像と同部位に出力される基準画像と
を備える印刷版。
【請求項２】
請求項１に記載の印刷版において、
レジストレーションカラーを有する複数の点状画像によって形成され、網線数及び網角度の少なくとも一方が異なる複数種類の平網状画像を有し、
前記基準画像は、前記複数の平網状画像から選択されること
を特徴とする印刷版。
【請求項３】
色ごとに設定した網線数及び網角度と同じ網線数及び網角度が指定された色別平網データに基づいて、その色ごとに複数個所に分けて余白部分に印刷されるサンプル印刷部と、
複数の点状画像により前記複数のサンプル印刷部にそれぞれ指定した前記網線数及び前記網角度に対応する網線数及び網角度を有する平網状に形成され、前記複数のサンプル印刷部のうち対応する網線数及び網角度を有するものと同部位に出力される基準印刷部と
を備える印刷物。
【請求項４】
請求項３に記載の印刷物において、
網線数及び網角度の少なくとも一方が異なる複数種類の平網状印刷部を備え、
前記基準印刷部は、前記複数の平網状印刷部から選択されること
を特徴とする印刷物。
【請求項５】
出力される画像の網線数及び網角度と同じ網線数及び網角度を指定した平網データを用意すると共に、
複数の点状画像によって、前記平網データに指定した前記網線数及び前記網角度に対応する網線数及び網角度を有する平網状に形成した基準データを用意し、
前記平網データ及び前記基準データに基づく画像を、余白部分の同部位に出力する印刷版の画像形成方法。
【請求項６】
色ごとに設定した網線数及び網角度と同じ網線数及び網角度を指定した複数の色別平網データを用意すると共に、
複数の点状画像によって、前記色別平網データに指定した前記網線数及び前記網角度に対応する網線数及び網角度を有する平網状に形成した複数の色別基準データを用意し、
前記色別平網データに基づく画像及び前記色別基準データに基づく画像を、余白部分の同部位に対応する色ごとに印刷する印刷物の印刷方法。
【発明の詳細な説明】
【技術分野】
【０００１】
本発明は、平網画像が出力される印刷版、印刷物、印刷版の画像形成方法、印刷物の印刷方法に関するものである。
【背景技術】
【０００２】
印刷版に出力される平網画像の網線数及び網角度は、露光装置等によって画像が平網化されて形成される際に、本来指定した網線数及び網角度と異なってしまうことがある。このため、網線数及び網角度は、画像を実際に紙に印刷する前に検査する必要がある。
【０００３】
従来のアナログ製版では、画像は、製版フィルムに出力され、この製版フィルムは、殖版機で印刷版に加工される。網線数及び網角度の検査は、製版フィルムに対して行い、検査方法としては、製版フィルム上でゲージフィルムを使用する目視検査や、専用の検査装置を使用した機械検査が知られている（例えば、特許文献１参照）。
しかし、特許文献１の検査装置は、コンピュータを使用して画像処理を行う等、検査工程が煩雑である。
【０００４】
また、現在主流のＣＴＰ（Ｃｏｍｐｕｔｅｒ  Ｔｏ  Ｐｌａｔｅ）は、画像をコンピュータから分版プレートに直接出力するものであるが、この場合であっても、分版プレートの検査は、従来の製版フィルムの検査と同様に、分版プレートに対してゲージフィルムや検査装置等を使用しなければならない。
【特許文献１】特開平７−９８２８３号公報
【発明の開示】
【発明が解決しようとする課題】
【０００５】
本発明の課題は、簡単に網線数及び網角度の少なくとも一方を検査することができる印刷版、印刷物、印刷版の画像形成方法、印刷物の印刷方法を提供することである。
【課題を解決するための手段】
【０００６】
本発明は、以下のような解決手段により、前記課題を解決する。
請求項１の発明は、出力画像と同じ網線数及び網角度が指定された平網データに基づいて、余白部分に出力されるサンプル画像と、複数の点状画像により前記平網データに指定した前記網線数及び前記網角度に対応する網線数及び網角度を有する平網状に形成され、前記サンプル画像と同部位に出力される基準画像とを備える印刷版である。
【０００７】
請求項２の発明は、請求項１に記載の印刷版において、レジストレーションカラーを有する複数の点状画像によって形成され、網線数及び網角度の少なくとも一方が異なる複数種類の平網状画像を有し、前記基準画像は、前記複数の平網状画像から選択されることを特徴とする印刷版である。
【０００８】
請求項３の発明は、色ごとに設定した網線数及び網角度と同じ網線数及び網角度が指定された色別平網データに基づいて、その色ごとに複数個所に分けて余白部分に印刷されるサンプル印刷部と、複数の点状画像により前記複数のサンプル印刷部にそれぞれ指定した前記網線数及び前記網角度に対応する網線数及び網角度を有する平網状に形成され、前記複数のサンプル印刷部のうち対応する網線数及び網角度を有するものと同部位に出力される基準印刷部とを備える印刷物である。
【０００９】
請求項４の発明は、請求項３に記載の印刷物において、網線数及び網角度の少なくとも一方が異なる複数種類の平網状印刷部を備え、前記基準印刷部は、前記複数の平網状印刷部から選択されることを特徴とする印刷物である。
【００１０】
請求項５の発明は、出力される画像の網線数及び網角度と同じ網線数及び網角度を指定した平網データを用意すると共に、複数の点状画像によって、前記平網データに指定した前記網線数及び前記網角度に対応する網線数及び網角度を有する平網状に形成した基準データを用意し、前記平網データ及び前記基準データに基づく画像を、余白部分の同部位に出力する印刷版の画像形成方法である。
【００１１】
請求項６の発明は、色ごとに設定した網線数及び網角度と同じ網線数及び網角度を指定した複数の色別平網データを用意すると共に、複数の点状画像によって、前記色別平網データに指定した前記網線数及び前記網角度に対応する網線数及び網角度を有する平網状に形成した複数の色別基準データを用意し、前記色別平網データに基づく画像及び前記色別基準データに基づく画像を、余白部分の同部位に対応する色ごとに印刷する印刷物の印刷方法である。
【発明の効果】
【００１２】
以上説明したように、本発明によれば、以下のような効果がある。
（１）基準画像及び基準印刷部は、指定した網線数及び網角度を有する平網状画像として印刷版及び印刷物にそれぞれ形成される。サンプル画像又はサンプル印刷部の網線数及び網角度の少なくとも一方が間違って出力された場合には、サンプル画像及びサンプル印刷部は、同一部位に出力された基準画像及び基準印刷部とそれぞれ干渉し、この部位にモアレが発生する。印刷版及び印刷物の検査は、このモアレの発生の有無を目視によって確認することで簡単に行うことができる。
【００１３】
（２）基準画像及び基準印刷部は、それぞれ複数の平網状画像及び複数の平網状印刷部から網線数及び網角度の対応するものを選択するので、検査ごとに対象となる画像の網線数又は網角度が変わっても画像ごとに用意する必要がない。
（３）複数の平網状画像は、レジストレーションカラーを有するので、基準画像は色別に複数種類用意する必要がない。
【発明を実施するための最良の形態】
【００１４】
本発明は、簡単に網線数及び網角度の少なくとも一方を検査することができる印刷版及び印刷物等を提供するという目的を、網線数及び網角度のいずれか一方が間違って出力された場合に、印刷版及び印刷物の余白部分に目視で確認できるモアレを発生する、サンプル画像及び基準画像、又は、サンプル印刷部及び基準印刷部からなるチントパッチを形成することによって実現する。
【実施例】
【００１５】
以下、図面を参照して、本発明による印刷版の実施例をあげて、さらに詳しく説明する。
図１は、本発明による印刷版の実施例を示す平面図である。
印刷版１０は、画像形成部１１と、複数のセンタトンボ１２及びコーナトンボ１３（以下、両者を併せて「トンボ１４」という）と、余白部１５と、画像Ｐ１と、チントパッチ２０とを備えている。
【００１６】
印刷版１０は、例えばマゼンダ用のものであって矩形のシート状に形成され、その出力面に例えば露光装置に備えられたレーザによって、ＤＴＰ（Ｄｅｓｋ  Ｔｏｐ  Ｐｕｂｌｉｓｈ）ソフト等で編集された画像が焼き付けられることで、画像Ｐ１が形成されるようになっている。
印刷版は、通常のＣＭＹＫ（Ｃ：シアン、Ｍ：マゼンダ、Ｙ：イエロー、Ｋ：墨）の４色刷りでは色ごとに合計４枚用意されるが、これらの構成は、印刷版１０の構成と類似しているので、本実施例ではその説明を省略する。
【００１７】
画像形成部１１は、印刷版１０の出力面の略中央部分に形成された、例えばＡ４、Ｂ５等の用紙サイズと同サイズで設けられた矩形状の領域であり、その略中央部には家屋の画像Ｐ１が形成されている。余白部１５は、印刷版１０のうち画像形成部１１の外側の領域である。
トンボ１４は、ＤＴＰソフト等による画像編集時に断裁等の指標として設定されるマークである。コーナトンボ１３は、画像形成部１１の四隅みに配置されており、画像形成部１１の領域を決定している。また、センタトンボ１２は、二つのコーナトンボ１３の中間に配置されており、画像形成部１１における縦横方向のセンタラインを示す目安となっている。
【００１８】
チントパッチ２０は、余白部１５に設けられ、本実施例では、図１に示すように印刷版１０の右側下部に形成されている。「パッチ」とは、印刷版や印刷物の余白部分に形成されるものの総称である。
【００１９】
以下、図２、図３、図４を参照して、チントパッチ２０の構成、及び、形成方法について説明する。
【００２０】
図２は、実施例による印刷版に形成されたチントパッチを示す拡大平面図である。図３は、チントパッチを構成する平網状画像群とサンプル画像との関係を示す分解図である。図４は、チントパッチの一部を示す拡大図であり、図４（ａ）は、ＤＴＰソフトでの編集画面における状態を示す図であり、図４（ｂ）は、チントパッチ作成時の基準データと平網データとの関係を示す分解図、図４（ｃ）は、印刷版に出力されたチントパッチの基準画像とサンプル画像との関係を示す分解図である。
【００２１】
チントパッチ２０は、サンプル画像２１と、平網状画像群２２と、基準画像２３とを備えている。
図２及び図３に示すように、サンプル画像２１は、所定の寸法で形成された長方形状の平網である。平網状画像群２２は、網線数及び網角度の異なった複数の平網状の画像が、例えば３行６列の表状に形成され、サンプル画像２１と重なる部位に設けられる。基準画像２３は、平網状画像群２２のうちのひとつの平網状画像である。
【００２２】
ここで、「平網」とは、複数の微小な点画像（網点）が規則的に配置されて形成される画像である。「網線数」とは、平網における単位長さあたりの網線の本数であり、この数値が大きいほど網線間の間隔が狭く、同じ大きさの画像でも網点が多いので細かな描写が可能になる。以下、網線数は、１インチあたりの網線数として説明する。「網角度」とは、網線の角度であり、通常の４色刷りでは、モアレの発生を防止するために色ごとに、例えば１５°ずつ変化させて設定する。
【００２３】
サンプル画像２１は、図４（ｂ）及び（ｃ）に示すように、ＤＴＰソフトによって作成される平網データ２４が網点化されて印刷版１０に出力されることで形成されたものである。平網データ２４は、画像Ｐ１のうちマゼンダに設定した網線数及び網角度（それぞれ、例えば１５０本、４５°）と同じ網線数及び網角度が指定され、ＡＭスクリーニングの色指定（網％）は、例えば３０％とされている。
【００２４】
説明を省略した他色用の印刷版における平網データの網線数は、平網データ２４の網線数と同じ１５０本に設定されているが、網角度は、例えばシアンが１５°、イエローが０°、墨が７５°に設定されている。
【００２５】
平網状画像群２２は、合計１８種類の平網状画像で構成されており、これらは前述したように、例えば３行６列の表状に配置されている。これらの平網状画像群２２において、網線数は、例えば１３３本、１５０本、１７５本の３種類となっており、網線数ごとに３行に分けて配置されている。一方、網角度は、例えば０°、１５°、３０°、４５°、６０°、７５°の６種類となっており、網角度ごとに６列に分けて配置されている。この平網状画像群２２の縦横各方向の寸法は、図３に示すように、サンプル画像２１の縦横方向寸法とほぼ同じとされており、チントパッチ２０は、１８種類の平網状画像がひとつのサンプル画像２１に重なった構造になっている。
【００２６】
基準画像２３は、平網状画像群２２のうち、平網データ２４（画像Ｐ１）に指定した網線数（１５０本）及び網角度（４５°）に対応する部分である。
この基準画像２３は、ＤＴＰソフトによって作成された基準データ２５に基づいて印刷版１０に出力されるものである。基準データ２５は、図４（ａ）に示すように複数の矩形状に形成された点状画像Ｄで構成され、これらの点状画像Ｄは、レジストレーションカラーで形成されると共に、平網データ２４（画像Ｐ１）に指定した網線数及び網角度と同じ網線数（１５０本）及び網角度（４５°）の平網に相当するような平網状に配置されている。レジストレーションカラーとは、ＣＭＹＫの４色ですべて１００％の色指定がされたものであり、いわゆる「トンボ色」である。この基準データ２５を構成する点状画像Ｄは、露光装置等によって印刷版１０に出力される際にも網点化されないので、基準データ２５は、図４（ｂ）及び（ｃ）に示すように、平網（実際には、平網状に形成された図形画像）として印刷版１０に出力される。
平網状画像群２２を構成する他の平網状画像も、それぞれ基準画像２３と同様に、複数の点状画像が平網状画像群２２に設定された網線数及び網角度で平網状に配置されたデータに基づいて形成される。
【００２７】
平網データ２４及び基準データ２５は、ＤＴＰソフトで画像を編集する際に、画像に対して編集（貼付）することができるように、例えばポストスクリプト（「ポストスクリプト」は、アドビ・システムズ・インコーポレイテッドの登録商標）等のＤＴＰソフトの記述言語に対応する記述言語で作成されていることが望ましく、その出力フォーマットとしては、例えば、ＥＰＳやＰＤＦが望ましい。
【００２８】
ここで、画像を印刷版に出力するために平網化する工程で画像の網線数又は網角度がずれて、この網線数又は網角度の間違った画像Ｐ１が印刷版１０に出力された場合における印刷版１０の検査方法について、画像Ｐ１の網線数は、例えば１５０本で正しく出力されたが、網角度は、例えば４３°で出力された場合を図２及び図５を参照して説明する。
【００２９】
図５は、実施例による印刷版に出力されたサンプル画像及び基準画像の一部を拡大して示す図であって、図５（ａ）は、網角度が例えば４５°で出力された図、図５（ｂ）は、網角度が例えば４３°で出力された図、図５（ｃ）は、（ａ）に示す図と（ｂ）に示す図とが重なった図である。
【００３０】
基準データ２５を構成する点状画像Ｄは、画像Ｐ１が出力される際にも網点化されないので、基準データ２５は、常に設定した網線数及び網角度を有する図５（ａ）に示すような平網である基準画像２３を印刷版１０に形成する。
【００３１】
一方、平網データ２４は、画像Ｐ１に指定した網線数及び網角度（それぞれ、例えば１５０本、４５°）で出力されると、基準画像２３と同様に図５（ａ）に示すような平網を印刷版１０に形成する。一方、画像Ｐ１の網角度が、例えば４３°になった場合には、出力される平網の網角度は、画像Ｐ１と同様に４３°になる。このため、サンプル画像２１は、図５（ａ）に比べて網角度のずれた、図５（ｂ）に示すような画像になる。
【００３２】
これらのサンプル画像２１と基準画像２３とは、印刷版１０の同部位に出力されると図５（ｃ）に示すような画像を形成する。このとき網点は、例えば図５（ｃ）で示す点ｄ１では、同部位に形成されているが、図５（ｃ）で示す点ｄ２では、二つの網点が連結したようになっており、網点の配置は、全体的に見て不規則である。チントパッチ２０は、上記のように網点の配置が不規則であると、網線数が例えば１５０本、網角度が例えば４５°に対応する部分に、図２に示すようなモアレが発生するので、画像Ｐ１の網角度は、チントパッチ２０におけるモアレの発生の有無により、正しく出力されたか否かを検査することができる。
【００３３】
次に、図６を参照して画像Ｐ１の網角度は、例えば４５°で正しく出力されたが、網線数は、例えば１４８本で出力された場合を説明する。
図６は、実施例による印刷版に出力されたサンプル画像及び基準画像の一部を拡大して示す図であって、図６（ａ）は、網線数が例えば１５０本で出力された図、図６（ｂ）は、網線数が例えば１４８本で出力された図、図６（ｃ）は、（ａ）に示す図と（ｂ）に示す図とが重なった図である。
【００３４】
この場合でも、基準データ２５に基づいて形成される基準画像２３は、図６（ａ）に示すような平網となる。一方、平網データ２４により形成されるサンプル画像２１は、基準画像２３に比べて、図６（ｂ）に示すように網線の間隔が狭い（サンプル画像２１の網線間距離ｓ２＜基準画像２３の網線間距離ｓ１）。これらは、印刷版１０の同部位に形成されると、図６（ｃ）に示すような画像を形成する。この場合でも、網点は、図６（ｃ）で示す点ｄ３では、同部位に形成されているが、点ｄ４では、網点が連結したように形成されており、網点の配置は、全体的に見て不規則であるので、チントパッチ２０は、網線数が例えば１５０本、網角度が例えば４５°に対応する部分に、図２に示すようなモアレが発生する。
【００３５】
以上説明したように、本実施例の印刷版１０によれば、チントパッチ２０は、画像Ｐ１の網線数及び網角度の少なくとも一方が間違って出力されると、画像Ｐ１に指定した網線数及び網角度に対応する部分に目視可能なモアレが発生するので、印刷版１０は、画像Ｐ１の網線数及び網角度が正しく出力されたか否かを簡単に検査することができる。また、印刷版１０は、フィルムゲージを使用する検査のように直接出力面に接触することなく網線数及び網角度の検査ができるので、検査によって出力面を損傷することがない。
【００３６】
また、平網状画像群２２は、基準画像２３の他に、網線数及び網角度の異なる、例えば１７種類の平網状画像を備えており、かつ、点状画像Ｄは、レジストレーションカラーで形成されているため、平網状画像群２２は、例えば網角度が１５°に指定されたシアン用の印刷版の網線数及び網角度を検査するような場合でも、そのまま使用することができ、新たなもの作成する必要がない。
【００３７】
以上、実施例をあげて説明した本発明による印刷版は、画像が紙に印刷される前に網線数及び網角度を検査するものである。一方、本発明による印刷物は、印刷版を使用して画像を印刷した後に、この印刷物において網線数及び網角度を検査するものである。以下、図面を参照して、本発明による印刷物の実施例をあげて、さらに詳しく説明する。
【００３８】
図７は、本発明による印刷物の実施例を示す図である。
前述した印刷版の実施例と同様な機能を果たす部分には、末尾が共通した符号を付して、重複する説明や図面を適宜省略する。図２、図３、図４における括弧内に示されている符号は、本発明による印刷物の実施例を説明するために付されたものである。
【００３９】
印刷物３０は、印刷部３１と、複数のセンタトンボ３２及びコーナトンボ３３（以下、両者を併せて「トンボ３４」という）と、余白部３５と、画像Ｐ２と、チントパッチ４０とを備えている。
【００４０】
チントパッチ４０は、一枚の印刷物３０に色ごとに４箇所形成され、図７では、上から順に、シアン用チントパッチ４０Ｃ、マゼンダ用チントパッチ４０Ｍ、イエロー用チントパッチ４０Ｙ、墨用チントパッチ４０Ｋとなっている。これらの色ごとに形成された各チントパッチは、図３に示すように、色別サンプル印刷部４１と、色別基準印刷部群４２と、色別基準印刷部４３とをそれぞれ備えている。
このチントパッチ４０の形成方法は、色別平網データ４４に基づく色別サンプル印刷部４１と、色別基準データ４５に基づく色別基準印刷部４３とが形成された４枚の色別印刷版を使用して、印刷機等によって、例えば校正紙等の印刷物３０に印刷する（図４（ｂ）及び（ｃ）参照）。
【００４１】
印刷された画像Ｐ２の網線数及び網角度の検査は、印刷版の実施例と同様に、チントパッチ４０のうち、画像Ｐ２に指定した網線数及び網角度に対応する部分におけるモアレの有無を確認することにより行う。
【００４２】
このように、本実施例の印刷物３０は、チントパッチ４０にモアレが発生したか否かを目視で確認することによって、画像Ｐ２の網線数及び網角度の検査を全ての色について一枚で簡単に行うことができる。
【００４３】
（変形例）
本発明は、以上説明した実施例に限定されることなく、種々の変形や変更が可能であって、それらも本発明の均等の範囲内である。
（１）例えば、検査可能な網線数及び網角度の種類は、新たな基準画像（基準印刷部）をチントパッチ２０、４０に追加して設けたり、チントパッチ２０、４０の平網状画像の一部を差し替えたりすることで、任意に設定できる。
（２）印刷版の実施例における基準画像２３の点状画像Ｄは、レジストレーションカラーであったが、この点状画像Ｄの色は、単色であってもよく、チントパッチは、検査対象の色に対応する色で形成されていれば、網線数及び網角度のいずれか一方が間違って出力された場合に単色モアレを発生するので、網線数及び網角度の検査は、簡単に行うことができる。
（３）平網データ２４（色別平網データ４４）は、例えば３０％の色指定がされているが、色指定の数値（網％）は、これ以外の数値でもよい。この網％の数値は、例えば３０〜５０％の範囲で設定することが、モアレの視認性の点から好ましい。
（４）基準データ２５（色別基準データ４５）を構成する点状画像Ｄは、矩形状であったが、これらの形状は、出力される画像Ｐ１（画像Ｐ２）の網点の形状に対応していればよく、例えば円形であってもよい。
（５）印刷版の実施例における印刷版１０は、例えば露光装置等によってコンピュータから画像が直接出力される印刷版（分版プレート）であったが、例えば、アナログ製版で作成される印刷版（製版フィルム）にも、本印刷版の発明を適用することが可能である。
【図面の簡単な説明】
【００４４】
【図１】本発明による印刷版の実施例を示す平面図である。
【図２】図１の印刷版に形成されたチントパッチを示す拡大平面図である。
【図３】図２に示すチントパッチを構成する平網状画像群とサンプル画像との関係を示す分解図である。
【図４】図２のチントパッチの一部を示す拡大図である。
【図５】実施例の印刷版において画像Ｐ１の網角度が間違って出力された場合のサンプル画像及び基準画像の一部を拡大して示す図である。
【図６】実施例の印刷版における画像Ｐ１の網線数が間違って出力された場合のサンプル画像及び基準画像の一部を拡大して示す図である。
【図７】本発明による印刷物の実施例を示す平面図である。
【符号の説明】
【００４５】
１０  印刷版
１５、３５  余白部
２０、４０  チントパッチ
２１  サンプル画像
２３  基準画像
２４  平網データ
３０  印刷物
４１  サンプル印刷部
４３  基準印刷部
４４  色別平網データ
Ｄ  点状画像
Ｐ１、Ｐ２  画像
【図１】
2006297752.tif 000003
【図２】
2006297752.tif 000004
【図３】
2006297752.tif 000005
【図４】
2006297752.tif 000006
【図５】
2006297752.tif 000007
【図６】
2006297752.tif 000008
【図７】
2006297752.tif 000009